(57)【要約】【課題】乗りかご上のスペースを有効に利用して消臭装置を設置できるようにする。【解決手段】乗客を乗せて昇降路２内を昇降する乗りかご１上に、乗りかご１の天井部８に設けられた開口部９を介して乗りかご１内の空気の入れ替えを行なう換気装置１０を設ける。この換気装置１０とは独立して、消臭剤を生成する消臭装置１１を設ける。この消臭装置１１と換気装置１０とを可とう性のあるチューブ１２で連通し、このチューブ１２の可とう性を利用して消臭装置１１を乗りかご１上の任意の個所に設置する。【選択図】　図１
2004091054.tif 000002
【特許請求の範囲】
【請求項１】
乗客を乗せて昇降路内を昇降する乗りかごと、この乗りかご上に設けられ前記乗りかごの天井部に設けられた開口部を介して乗りかご内の空気の入れ替えを行なう換気装置と、前記乗りかご上に前記換気装置とは独立して設けられ消臭剤を生成する消臭装置と、この消臭装置から生成する消臭剤を前記乗りかご内に送出する連結路とを備えてなるエレベータ装置。
【請求項２】
前記消臭剤としてフィトンチッドを使用することを特徴とする請求項１に記載のエレベータ装置。
【請求項３】
前記消臭剤として酸素分子のマイナスイオンを使用することを特徴とするエレベータ装置。
【請求項４】
前記消臭装置と換気装置とを可とう性のあるチューブからなる前記連結路を介して連結し、前記換気装置の給排気機能を利用して前記消臭装置の消臭剤を前記乗りかご内に送出するように構成したことを特徴とする請求項１ないし３に記載のエレベータ装置。
【請求項５】
前記消臭装置内に前記乗りかご内へ消臭剤を送出する送出手段を設けるとともに、この送出手段に対し前記換気装置と独立して動作させて、設定された時間内に限り消臭剤を送出する制御手段を設けたことを特徴とする請求項１ないし３に記載のエレベータ装置。
【請求項６】
乗り場または乗りかご内からの呼びが登録された場合に消臭剤の発生量を増加することを特徴とする請求項１ないし５に記載のエレベータ装置。
【請求項７】
前記乗りかご天井部に吸気部と排気部を設け、消臭装置と換気装置とを当該吸気部と排気部のいずれかに別々に設けることを特徴とする請求項１ないし３記載のエレベータ装置。
【請求項８】
前記消臭装置の消臭手段として、プラズマ発生装置と光触媒を使用することを特徴とする請求項７記載のエレベータ装置。
【発明の詳細な説明】
【０００１】
【発明の属する技術分野】
本発明は、乗りかご上のスペースを有効利用して消臭装置の設置を図り乗りかご内の快適性を向上させたエレベータ装置に関する。
【０００２】
【従来の技術】
エレベータの昇降路内を昇降する乗りかごは、不特定多数の乗客に利用され、乗客の乗降時以外はドアを閉めた状態にあるので、利用した乗客によってはその体臭、排泄臭、アルコール臭、化粧品臭などの残り香として乗りかご内に充満することがある。このため、エレベータにおいては、乗りかご内の消臭を行なう提案が数多くなされている。
【０００３】
乗りかご内の消臭を行なう場合、乗りかご内に消臭剤（消臭装置）を設置する構成が最も簡単であるが、乗りかご内の意匠性に制約を与えるという問題がある。
【０００４】
一方、消臭装置を乗りかご上に設置する構成も提案されており、この場合は、乗りかご内に消臭剤を設置する場合に比べ、乗りかご内の意匠上の制約を受けない点で勝っている。
【０００５】
消臭装置を乗りかご上に設置する構成としては、消臭剤であるオゾン発生装置を含む消臭装置を乗りかご上の換気装置の脇に置き、乗りかご内に設けた臭気検出装置により、乗りかご内の悪臭が規定値を超えた場合に消臭を行うものが提案されている。
【０００６】
【発明が解決しようとする課題】
しかしながら、乗りかご上にはドア開閉機構などの既存の機器があり、これらの機器のスペースを確保する必要上、新規に消臭装置を設置するには寸法上の制約を満足しないと困難であった。特に乗りかご上の機器レイアウトは、換気装置の種類、乗りかごの大きさ、定格速度、天井照明等の意匠によりさまざまな組合せがあり、すべての場合において換気装置の脇に消臭装置の設置を可能とするためには、消臭装置の大幅な小型化を図る必要があった。
【０００７】
一方、消臭剤としてオゾンを利用する場合は、近年オゾンによる人体への悪影響が問題となっており、オゾン特有の臭いも人により問題視されている。また芳香剤を使う場合においては、すべての人に好まれる臭いの選択が困難であるとともに根本的に悪臭の元を断つわけではないので、消臭としての機能を十分に果たせるものではなかった。
【０００８】
さらに臭気検出装置を用いて悪臭を検出した際に限ってのみ、消臭を行なうことも考えられているが、乗りかご内の悪臭を効果的に断つためには、臭気検出器を乗りかご内のいたるところに設置する必要がある。
【０００９】
また乗りかご内に設置される保護マットなどに染み付いた悪臭は、短時間で消せるものではないが、そのために常時消臭を行なっていては、消費電力が高くなる問題があった。
【００１０】
本発明は、上述の問題点を考慮してなされたもので、第１の目的は乗りかご上のスペースを有効に利用して消臭装置を設置できるエレベータ装置を提供することにある。
【００１１】
本発明の第２の目的は、消臭装置の消費電力を低減できるエレベータ装置を提供することにある。
【００１２】
【課題を解決するための手段】
本発明は上記の課題を解決するために、乗客を乗せて昇降路内を昇降する乗りかご上に、乗りかごの天井部に設けられた吸気部と排気部を構成する開口部を介して乗りかご内の空気の入れ替えを行なう換気装置と、この換気装置とは独立して設けられて消臭剤を生成する消臭装置とを設け、この消臭装置から生成する消臭剤を乗りかご内に送出するのに、循環経路を形成する連結経路例えば可とう性のチューブを利用したことを特徴とする。
【００１３】
このようにすれば、可とう性のチューブにより換気装置の脇に消臭装置を設置する必要がないので、消臭装置を乗りかご上の任意の個所に設置することができる。
【００１４】
この場合、消臭剤としてフィトンチッドを使用することが望ましい。
【００１５】
消臭剤としてフィトンチッドを使用することにより、オゾンなどを利用した場合と比べ、人体への影響、副作用をなくすことができる。
【００１６】
また消臭剤として酸素分子のマイナスイオンを使用することもできる。
【００１７】
消臭剤として酸素分子のマイナスイオンを使用することにより、オゾンなどを利用した場合と比べ、人体への影響、副作用をなくすことができるほか、無臭であるため、臭いに対する好みの問題も発生せず、しかも消耗品を使用しないため、ランニングコストを低減できる。
【００１８】
さらに消臭装置と換気装置とを可とう性のチューブを介して連結し、換気装置の給排気機能を利用して消臭装置の消臭剤を乗りかご内に送出するように構成することができる。
【００１９】
このようにすれば、消臭装置から消臭剤を吸出しかつ乗りかご内に送出する際に換気装置のファンを利用できるため、消臭装置内に消臭剤送出のための送出手段を必要としない。
【００２０】
また消臭装置内に乗りかご内へ消臭剤を送出する送出手段を設け、この送出手段を換気装置と独立して動作させ、設定された時間内に限り消臭剤を送出するように構成することもできる。
【００２１】
このようにすれば、消臭装置は設定された時間内に限り消臭剤を送出し続けることにより、換気装置の動作状態に関わらず、消臭を開始、終了することができ、また一定時間のみ動作させることにより、消費電力を削減することができる。
【００２２】
さらに乗り場または乗りかご本体内からの呼びが登録された場合には消臭剤の発生量を増加するようにすることができる。
【００２３】
このようにすれば、乗客が乗りかごを利用する際の消臭効果を増加することができ、しかも乗りかごの呼び登録がない場合には、消臭剤の発生量を抑えることにより、乗りかご内に籠もった臭いを継続して打ち消すことができ、消費電力の低減と消臭効果を必要かつ十分に発揮することができる。
【００２４】
さらに乗りかご天井部に吸気部と排気部を設け、消臭装置と換気装置とを当該吸気部と排気部のいずれかに別々に設けることができる。吸気部と排気部のどちらか片方に、消臭装置と換気装置の両方を設けると大型の装置になるが、別個に分散して配置することでそれぞれの小型化を図ることができる。
【００２５】
さらに前記消臭装置の消臭手段として、プラズマ発生装置と光触媒を使用することができる。かご内と消臭装置とを結ぶ循環経路を構成し、経路の中で臭いの要素を分解し、光触媒使用フィルタで吸着させることにより、効率よく、また確実に臭いのもとを取り除くことができる。
【００２６】
【発明の実施の形態】
以下、本発明の実施の形態を説明する。図１は本発明のエレベータ装置を示す断面図である。エレベータの乗りかご１は内部に乗客を乗せて要求された階まで運搬するもので、昇降路２内を図示しない巻上機により吊りロープを介して昇降され、乗りかご１内の行先階の呼び登録ボタン３や各階の乗り場の呼び登録ボタン（図示せず）を押して呼びを登録することで乗りかご１により指定する階に移動できるようになっている。巻上機が設置された機械室には制御装置４が設けられ、この制御装置４と乗りかご１がケーブル５を介して接続され、乗客の呼び登録に応じて乗りかご１の昇降が制御されるようになっている。乗りかご１の上部には乗りかご１を吊るロープ６を固定する機構７やドア開閉機構（図示せず）などの既存の機器が設けられており、また天井部８の特定の個所に吸気部１３と排気部１４からなる開口部９が設けられており、吸気部１３と排気部１４間に可とう性チューブの連結路１２が配置され、開口部９を通して乗りかご１内の換気を行なう換気装置１０が設けられている。
【００２７】
換気装置１０は、乗りかご天井部８の排気部１４の直上に設置され、ファンやフィルターを有し、制御装置４により制御され、一般的には乗りかご１に乗客が乗っているときに動作して、乗りかご１外の空気を排気部１４から乗りかご１内に吐出して取り込んだり、逆に乗りかご１内の空気を吸気部１３から乗りかご１外に排出したりして、乗りかご１内外の空気を循環させ乗りかご１内を清浄化するようになっている。
【００２８】
乗りかご１上には、この換気装置１０と独立して吸気部１３に消臭装置１１が設置されている。消臭装置１１は、図２のシステム構成図に示すように、電源部１１ａ、制御部１１ｂ、消臭剤を発生する消臭剤発生部１１ｃ、ファンを有する送出部１１ｄなどを有し、制御部１１ｂにより消臭剤発生部１１ｃおよび送出部１１ｄを制御して消臭剤を生成し乗りかご１内に送出するようになっている。なお電源部１１ａに代えて乗りかご１に供給される電源から電力を供給することもできる。
【００２９】
この消臭装置１１と換気装置１０との間は、連結路として可とう性があり自由に折り曲げられる材料で構成されたチューブ１２を介して連通され、消臭装置１１により発生させた消臭剤を換気装置１０へと送出できるようになっている。この場合、乗りかご１の定格速度、定員（積載量）、天井部意匠の違いにより乗りかご１上のレイアウトが異なるが、消臭装置１１の設置位置は限定せずに可とう性を有するチューブ１２を利用し、空いたスペースに設置する。
【００３０】
上記構成において、乗りかご１内の消臭を行なう際には、制御装置４からの制御信号に基づき消臭装置１１の制御部１１ｂを動作させ、発生部１１ｃで発生させた消臭剤を送出部１１ｄからチューブ１２を介して換気装置１０へ送出し、乗りかご１の天井部８の開口部９から乗りかご１内へと送り込むことができる。
【００３１】
本実施の形態によれば、消臭装置１１を乗りかご１上に設置することにより、乗りかご１内に設置する場合に比べ、乗りかご１内の意匠上の制約をなくすことができるほか、消臭装置１１から可とう性のあるチューブ１２を介して消臭剤の送出を行なう構成により、乗りかご１の天井部８の開口部９付近に消臭装置１１を設置する必要がなく、消臭装置１１を乗りかご１上の任意の位置に設置できる。さらに消臭装置と換気装置を分散配置することにより装置の小型化を図ることができる。
【００３２】
本実施の形態において、消臭装置１１の発生部１１ｃにおいて発生させる消臭剤としてフィトンチッドを使用することができる。フィトンチッドを含有する天然植物性消臭剤は市販されているものを使用でき、これは杉、ひのき、ヒバ、モミ、トウヒ、黒松などの植物を原料として減圧乾留、イオン交換、ブレンドの各プロセスを経て製造されたもので、揮発性物質であるフィトンチッドを多く含有している。この天然性植物性消臭剤を超音波ミスト発生装置によりミスト状として送出部１１ｄから送出する。
【００３３】
このように消臭剤にフィトンチッドを使用することにより、オゾン等を利用する場合に比べ、人体への影響、副作用をなくすことができ、乗客の立場から快適な空間づくりを実現することができる。
【００３４】
また消臭剤として酸素分子のマイナスイオンとすることもできる。マイナスイオンは、電源から放電針を有するマイナスイオン発生部に高電圧を印加し、放電針で負高電圧の大気放電を生じさせて多量の電子を発生させ、これらの電子を空気中の酸素分子に付着させてマイナスイオン化することにより生成することができる。一例としてプラズマ発生装置と光触媒の併用を利用することができる。
【００３５】
本実施の形態によれば、消臭剤に酸素分子のマイナスイオンを使用することにより、オゾン等を利用する場合に比べ、人体への影響、副作用をなくすことができ、快適な空間づくりを実現することができるほか、無臭であるため、臭いに対する好みの問題も発生せず、さらに消耗品を使用しないためランニングコストを低減できる。
【００３６】
また本実施の形態において、可とう性のチューブ１２を介して臭気装置１１と換気装置１０とを連通する場合に、換気装置１０が排気による換気を行なう場合には、換気装置１０とは別に天井部８に設けられる、吸気孔を備えた換気装置側にチューブ１２を連通することにより、吸気孔を介した乗りかご１内の吸気力を利用して消臭装置１１から消臭剤を吸い出すことができるため、消臭装置１１内に消臭剤の送出に使用する送出部１１ｄを省略することができる。
【００３７】
さらに制御装置４に組み込まれるソフトウエアにタイマー機能を持たせて消臭剤の発生および送出させる動作をあらかじめ設定した一定時間内に限り行なわせることができる。
【００３８】
すなわち、換気装置１０は通常、乗りかご１の乗り場あるいは乗りかご内にて呼びが登録されると同時に動作を開始する。そこで換気装置１０の動作如何にかかわらず消臭装置１１の動作を図３のフローチャートに示すように設定する。図３において、消臭装置を動作させる際に、まずタイマーにより設定された時間内か否かを判断する（Ｓ１）。設定された時間内であれば、次に呼び登録があるか否かを判断する（Ｓ２）。呼び登録があれば、換気装置と消臭装置を同時に動作させる（Ｓ３）。呼び登録がない場合は消臭装置のみ動作させる（Ｓ４）。
【００３９】
また設定された時間内にない場合においても呼び登録があるか否かを判断する（Ｓ５）。呼び登録がある場合は換気装置のみ動作させ（Ｓ６）、呼び登録がない場合は換気装置も消臭装置も動作させず何もしない（Ｓ７）。
【００４０】
このようにすれば、消臭装置１１は換気装置１０と独立して動作し、設定された時間内に限り消臭剤を発生および送出し続けることにより、乗りかご１の呼び登録と独立して消臭を開始、終了することができ、また一定時間内のみに動作させることにより、消臭装置１１の消費電力を低減することができる。
【００４１】
この場合、設定された時間内であって乗りかご内または乗り場からの呼びが登録された場合（Ｓ３）には、呼びが登録されていない場合（Ｓ４）よりも消臭剤の発生量を多くするようにすれば、乗りかご内または乗り場からの呼びが登録された場合には、消臭剤の発生量が多くなるので、乗客が乗りかごを利用する際の消臭効果を増大させることができ、一方、通常乗りかごの呼びがない場合には消臭剤の発生量を抑えることにより、乗りかご１内に籠もった臭いを継続して打ち消すことができ、全体の消費電力を低減しながら消臭効果を必要十分に発揮することができる。
【００４２】
【発明の効果】
このように本発明のエレベータ装置によれば、乗客を乗せて昇降路内を昇降する乗りかご上に、乗りかごの天井部に設けられた開口部を介して乗りかご内の空気の入れ替えを行なう換気装置と、この換気装置とは独立して設けられて消臭剤を生成する消臭装置とを設け、この消臭装置から生成する消臭剤を乗りかご内に送出するのに可とう性のチューブを利用したことにより、換気装置付近に消臭装置を設置する必要がないので、消臭装置を乗りかご上の任意の個所に設置することができる。
【００４３】
また本発明のエレベータ装置によれば、換気装置の給排気機能を利用して消臭装置の消臭剤を乗りかご内に送出したり、換気装置と独立して設定された時間内に限り消臭剤を送出することにより、消臭装置の消費電力を低減することができる。
【図面の簡単な説明】
【図１】本発明のエレベータ装置を示す断面図である。
【図２】図１のエレベータ装置における消臭装置のシステム構成図である。
【図３】図１のエレベータ装置における消臭装置の動作の一例を示すフローチャートである。
【符号の説明】
１…乗りかご
２…昇降路
３…呼び登録ボタン
４…制御装置
５…ケーブル
６…ロープ
７…ロープを固定する機構
８…天井部
９…開口部
１０…換気装置
１１…消臭装置
１１ａ…電源部
１１ｂ…制御部
１１ｃ…消臭剤発生部
１１ｄ…送出部
１２…（連結路）可とう性のあるチューブ
【図１】
2004091054.tif 000003
【図２】
2004091054.tif 000004
【図３】
2004091054.tif 000005